(57)【要約】【課題】書き手が太線、または細線が書ける把持位置で容易に把持部を握ることができるマーカーペンを提供すること。【解決手段】把持部２２とペン先２１とを有し、把持部２２の把持位置によって書く線の太さを太線と細線とから選択できるマーカーペン１Ａであって、把持部２２は、握る方向を案内する目印４を外周に有し、目印４は、太線が書ける把持位置で把持部２２を握るように案内する。書き手が目印４を識別することで、太線が書ける把持位置で容易に把持部２２を把持することができる。【選択図】図１
2015168140.tif 000002
【特許請求の範囲】
【請求項１】
把持部とペン先とを有し、前記把持部の把持位置によって書く線の太さを太線と細線とから選択できるマーカーペンであって、
前記把持部は、握る方向を案内する目印を外周に有し、
前記目印は、前記太線または前記細線が書ける把持位置で把持部を握るように案内するマーカーペン。
【請求項２】
前記目印は、視覚によって識別できることを特徴とする請求項１に記載のマーカーペン。
【請求項３】
前記目印は、前記把持部を把持する触覚で識別できる凸部を有することを特徴とする請求項１または２に記載のマーカーペン。
【発明の詳細な説明】
【技術分野】
【０００１】
本発明は、書く線の太さを太線と細線とから選択できるマーカーペンに関するものである。
【背景技術】
【０００２】
書類などの媒体に印字された文章の重要部分に、重ねてインクを塗布し、重要部分を強調するために使用されるマーカーペンが幅広く使用されている。通常のマーカーペンは、ペンの先端面が偏平の長方形に形成されており、文章に重ねてインクを塗布するような場合では太くインクを塗布する。その場合、書き手は、先端面の長辺側を媒体に接触させ、長辺側が媒体に接触した状態を維持したままマーカーペンを文章が形成されている方向に移動させることで、文章に重ねて太線を引くことになる。
【先行技術文献】
【特許文献】
【０００３】
【特許文献１】特開２００９−２４８４９３号公報
【発明の概要】
【発明が解決しようとする課題】
【０００４】
ところで、書き手は、マーカーペンの把持部をマーカーペンの周方向において自由に握ることができる。これは、先端面の長辺側を媒体に接触させて太線を書く場合と、太線よりも細い細線を書く場合とがあるためである。このため、太線を書く予定で把持部を握っても、先端面の長辺側を媒体に接触できる把持位置と異なる把持位置を握ってしまう可能性がある。この場合、書き手は、マーカーペンを軸方向周り、すなわち周方向に回転させ、先端面の長辺側を媒体に接触できる把持位置に握り直す作業が必要となり不便であった。
【０００５】
本発明は、上記に鑑みてなされたものであって、書き手が太線、または細線が書ける把持位置で容易に把持部を把持することができるマーカーペンを提供することを目的とする。
【課題を解決するための手段】
【０００６】
上述した課題を解決し、目的を達成するために、本発明に係るマーカーペンは、把持部とペン先とを有し、前記把持部を握る方向によって書く線の太さを太線と細線とから選択できるマーカーペンであって、前記把持部は、握る方向を案内する目印を外周に有し、前記目印は、前記太線と前記細線が書ける方向に把持部を握るように案内することを特徴とする。
【０００７】
また、マーカーペンにおいて、前記目印は、視覚によって識別できることが好ましい。
【０００８】
また、マーカーペンにおいて、前記目印は、前記把持部を把持する触覚で識別できる凸部を有することが好ましい。
【発明の効果】
【０００９】
本発明に係るマーカーペンは、書き手が目印を識別することで、太線、または細線が書ける把持位置で容易に把持部を把持することができるという効果を奏する。
【図面の簡単な説明】
【００１０】
【図１】図１は、実施形態１に係るマーカーペンの構成例を示す図である。
【図２】図２は、実施形態１に係るマーカーペンを軸方向から見た図である。
【図３】図３は、実施形態１に係るマーカーペンの把持状態を示す図である。
【図４】図４は、実施形態２に係るマーカーペンの構成例を示す図である。
【図５】図５は、実施形態２に係るマーカーペンを軸方向から見た図である。
【図６】図６は、実施形態３に係るマーカーペンを軸方向から見た図である。
【発明を実施するための形態】
【００１１】
本発明を実施するための形態（実施形態）につき、図面を参照しつつ詳細に説明する。以下の実施形態に記載した内容により本発明が限定されるものではない。また、以下に記載した構成要素には、当業者が容易に想定できるもの、実質的に同一のものが含まれる。さらに、以下に記載した構成は適宜組み合わせることが可能である。また、本発明の要旨を逸脱しない範囲で構成の種々の省略、置換又は変更を行うことができる。
【００１２】
〔実施形態１〕
図１は、実施形態１に係るマーカーペンの構成例を示す図である。図２は、実施形態１に係るマーカーペンを軸方向から見た図である。図３は、実施形態１に係るマーカーペンの把持状態を示す図である。
【００１３】
マーカーペン１Ａは、図１に示すように、ペン本体２と、キャップ３と、目印４とを含んで構成されている。
【００１４】
ペン本体２は、内部にインクが充填されており、書き手が例えば紙などの媒体１００に線などを引くものである。ペン本体２は、ペン先２１と、把持部２２とを含んで構成されている。ここで、インクとしては、油性インク、水性インク、蛍光インクなど種々使用することができる。
【００１５】
ペン先２１は、インクを媒体１００に付着させるものであり、ペン本体２１のうち、外径が最も小さい部分である。ペン先２１は、フェルト、合成繊維、合成樹脂などで形成されており、ペン本体２の内部のインクを毛細管現象により吸い出すものである。ペン先２１は、把持部２２の一方の端部に形成されたペン先支持部２３に挿入され、固定されている。つまり、把持部２２と、ペン先２１とは相対回転することはない。ペン先２１は、略円柱形状に形成されており、図２に示すように、先端面２１ａが形成されている。本実施形態における先端面２１ａは、長方形に形成されており、対向する長辺２１ｂ，２１ｂと、対向する短辺２１ｃ，２１ｃとを有する。各長辺２１ｂは、ペン先２１の直径と同一あるいはほぼ同一の長さであり、媒体１００に接触することで太線を書くことができる。各短辺２１ｃは、長辺２１ｂと比較して十分に短く、例えば、１ｍｍ程度であり、媒体１００に接触することで細線を書くことができる。つまり、マーカーペン１Ａは、書き手の把持部２２の握る、すなわち把持する位置によって書く線の太さを太線と細線とから選択できる。なお、ペン先２１を長辺２１ｂと短辺２１ｃとの間の位置で媒体に接触させると、太線と細線との間で、任意の幅の線を書くことができる。
【００１６】
把持部２２は、書き手が把持する部分であり、ペン本体２１のうち、外径が最も大きい部分である。把持部２２は、一方の端部側にキャップ挿入部２２ａが形成されている。キャップ挿入部２２ａは、把持部２２の他方の端部側における外径よりも小さい外径で形成されている。キャップ挿入部２２ａは、図示しない係止部、例えば突起や溝が周方向に沿って形成されている。書き手は、通常、図３に示すように、把持部２２を親指１０１、人差し指１０２、中指１０３の３つの指で把持、あるいは親指１０１、人差し指１０２、中指１０３、薬指１０４の４つの指で把持など、少なくとも親指１０１を含む複数の指で把持する。
【００１７】
キャップ３は、ペン先２１を覆うことで、ペン先２１が長期間外部に露出することによって、インクが気化することを抑制するものである。キャップ３は、キャップ本体部３１と、クリップ３２とを含んで構成されている。
【００１８】
キャップ本体部３１は、有底円筒形状であり、内部にペン先挿入部３１ａが形成されている。ペン先挿入部３１ａは、ペン先２１からキャップ挿入部２２ａまでが挿入されるものである。ペン先挿入部３１ａを形成する内壁には、キャップ挿入部２３の挿入時に、挿入されたキャップ挿入部２２ａの図示しない係止部が接触する図示しない受け部が形成されている。キャップ挿入部２３の挿入時に、係止部が受け部と接触しながら通過することで、ペン本体２に対してキャップ３が保持される。
【００１９】
クリップ３２は、一方（ペン先挿入部３１ａの開口と反対側）の端部がキャップ本体３１に固定されて、他方（ペン先挿入部３１ａの開口側）の端部が解放されている。クリップ３２は、弾性を有し、本実施形態では、他方の端部がキャップ本体３１の他方の端部近傍まで延在されている。クリップ３２は、他方の端部にクリップ凸部３２ａが形成されている。クリップ３２は、キャップ本体部３１とクリップ凸部３２ａとの間に挟み込まれたもの、例えば、ファイル、ポケットの前布などにマーカーペン１Ａを保持する。
【００２０】
目印４は、把持部２２の外周に形成されている。本実施形態における目印４は、書き手の視覚により識別されるものであり、把持部２２のキャップ挿入部２２ａよりも他方の端部側に形成されている。目印４は、視覚により把持部２２の外周と区別できる、すなわち識別できるものである。目印４の形状は、点、柄、円、楕円、多角形などのいずれか１つあるいは２以上の組み合わせである。目印４は、把持部２２の外周の色と異なる色で、かつ外周の色とコントラストの高い色が好ましい。目印４は、把持部２２の外周に直接塗料などを塗布することで形成されていてもよいし、シールなどを貼着してもよし、把持部２２が樹脂材であれば、２色成型で形成されていてもよい。
【００２１】
本実施形態における目印４は、図３に示すように、ペン先２１の長辺２１ｂが媒体１００と接触した状態で、書き手が把持部２２を把持した場合に、把持部２２の外周のうち、親指１０１が接触する把持位置に形成されている。つまり、目印４は、ペン先２１が媒体１００に対して太線を書くことができる状態で、書き手が把持部２２を把持した場合に、把持部２２の周方向のうち、親指１０１が接触する把持位置に形成されている。目印４は、書き手が把持部２２の目印４を見つけることで、親指１０１の把持位置を視覚により太線が書ける把持位置に案内する。目印４は、キャップ挿入部２２ａよりも他方の端部側に形成されているので、キャップ３にキャップ挿入部２２ａが挿入されても、視覚により認識することができる。
【００２２】
次に、書き手がマーカーペン１Ａにより媒体１００に太線を書く場合におけるマーカーペン１Ａの使用について説明する。まず、書き手は、キャップ３がされている状態のマーカーペン１Ａにおいて、目印４を確認する。書き手は、目印４を確認した後、親指１０１が目印４と重なるように、親指１０１、人差し指１０２、中指１０３により把持部２２を把持する。把持部２２の把持後、キャップ３をとり、ペン先２１を媒体１００に接触させる。このとき、親指１０１が目印４と接触しているので、長辺２１ｂが媒体１００と接触する。その後、ペン本体２を媒体１００に対して軸方向に相対移動させることで、媒体１００に長辺２１ｂと同じ幅の太線が書かれる。
【００２３】
以上のように、目印４は、書き手に視覚により識別され、太線が書ける把持位置で把持部２２を把持するように案内するので、太線が書ける把持位置で容易に把持部２２を把持することができる。従って、書き手は、ペン先２１が太線を書くことができる向きであるか否かを確認しなくても、太線を書くことができる。また、目印４は、キャップ３がされている状態でも、書き手が視覚により識別することができるので、キャップ３をとってから把持部２２の把持位置を太線が書ける把持位置に変更しなくてもよく、太線を書くまでの時間を短縮することができる。また、キャップ３をとっている時間を短縮することができるので、インクの気化を抑制することができる。
【００２４】
なお、上記実施形態における目印４は、把持部２２を把持する指１０１，１０２，１０３の間に形成されていてもよい。この場合、目印４は、ペン先２１が媒体１００に対して太線を書くことができる状態で、書き手が把持部２２を把持した場合に、把持部２２の周方向のうち、例えば、親指１０１と人差し指１０２と間に形成されている。従って、書き手は、目印４を確認した後、親指１０１と人差し指１０２と間に目印４が位置する、すなわち親指１０１と人差し指１０２と間から目印４が視覚により認識できるように、親指１０１、人差し指１０２、中指１０３により把持部２２を把持することで、太線が書ける把持位置で容易に把持部２２を把持することができる。
【００２５】
〔実施形態２〕
次に、実施形態２に係るマーカーペンについて説明する。図４は、実施形態２に係るマーカーペンの構成例を示す図である。図５は、実施形態２に係るマーカーペンを軸方向から見た図である。実施形態２に係るマーカーペン１Ｂは、目印５が凸部である点で実施形態１に係るマーカーペン１Ａとは異なる。なお、実施形態２に係るマーカーペン１Ｂの基本的構成は、実施形態１に係るマーカーペン１Ａの基本的構成と同様であり、同一符号は同一の構成要素であるので、その説明は省略する。
【００２６】
目印５は、把持部２２の外周に形成されている。本実施形態における目印５は、書き手の視覚および書き手が把持部２２を把持する触覚により識別されるものであり、把持部２２のキャップ挿入部２２ａよりも他方の端部側に形成されている。目印５は、視覚および触覚により把持部２２の外周と区別できる、すなわち識別できるものである。目印５は、把持部２２の外周から半径方向外側に突出した凸部である。目印５は、半径方向外側の高さが指で触ったら把持部２２の外周と区別できるように設定されており、例えば、０．５ｍｍ〜１．５ｍｍ程度である。目印５は、半径方向から見た場合に、先端部の領域よりも外周の領域が広く形成されている。目印５は、把持部２２の外周と同一色でも把持部２２から突出しているので、書き手の視覚により識別可能であるが、全部あるいは先端部のみが把持部２２の外周の色と異なる色で、かつ外周の色とコントラストの高い色を有していることが好ましい。目印５は、把持部２２と同一材料により把持部２２と一体成型（２色成型も含む）しても良いし、粘着材により把持部２２の外周に取り付ける別部材であってもよい。
【００２７】
本実施形態における目印５は、ペン先２１の長辺２１ｂが媒体１００と接触した状態で、書き手が把持部２２を把持した場合に、把持部２２の外周のうち、親指１０１が接触する把持位置に形成されている。つまり、目印５は、ペン先２１が媒体１００に対して太線を書くことができる状態で、書き手が把持部２２を把持した場合に、把持部２２の周方向のうち、親指１０１が接触することで、触覚により識別できる把持位置に形成されている。つまり、目印５は、書き手が把持部２２の目印５を見つけることで、親指１０１の把持位置を視覚により太線が書ける把持位置に案内する。また、書き手が把持部２２の目印５を見つけなくても、書き手の親指１０１の把持位置を触覚により太線が書ける把持位置に案内する。目印５は、キャップ挿入部２２ａよりも他方の端部側に形成されているので、キャップ３にキャップ挿入部２２ａが挿入されても、視覚により認識することができる。
【００２８】
以上のように、本実施形態に係るマーカーペン１Ｂは、実施形態１と同様の効果を奏するとともに、目印５が触覚により識別され、太線が書ける把持位置で把持部２２を把持するように案内するので、太線が書ける把持位置で容易に把持部２２を握ることができる。従って、書き手は、ペン先２１が太線を書くことができる向きであるか否かを確認しなくても、さらに、目印５を視覚により認識しなくても、把持部２２を周方向に回転し、親指１０１に目印５を接触させることで、太線を書くことができる。
【００２９】
また、上記実施形態２における目印５は、キャップ挿入部２２ａに形成されている図示しない係止部の機能を有していてもよい。
【００３０】
〔実施形態３〕
次に、実施形態３に係るマーカーペンについて説明する。図６は、実施形態３に係るマーカーペンを軸方向から見た図である。実施形態３に係るマーカーペン１Ｃは、目印５が凹部である点で実施形態１，２に係るマーカーペン１Ａ，１Ｂとは異なる。なお、実施形態３に係るマーカーペン１ｃの基本的構成は、実施形態１に係るマーカーペン１Ａの基本的構成と同様であり、同一符号は同一の構成要素であるので、その説明は省略する。
【００３１】
目印６は、把持部２２の外周に形成されている。本実施形態における目印６は、書き手の視覚および書き手が把持部２２を把持する触覚により識別されるものであり、把持部２２のキャップ挿入部２２ａよりも他方の端部側に形成されている。目印６は、視覚および触覚により把持部２２の外周と区別できる、すなわち識別できるものである。目印６は、把持部２２の外周から半径方向内側に突出した凹部である。目印６は、半径方向内側の深さが指で触ったら把持部２２の外周と区別できるように設定されており、例えば、０．５ｍｍ〜１．５ｍｍ程度である。目印６は、半径方向から見た場合に、円、楕円、多角形などに形成されている。目印６は、把持部２２の外周と同一色でも把持部２２から窪んでいるので、書き手の視覚により識別可能であるが、把持部２２の外周の色と異なる色で、かつ外周の色とコントラストの高い色を有していることが好ましい。
【００３２】
以上のように、本実施形態に係るマーカーペン１Ｃは、実施形態１と同様の効果を奏するとともに、目印６が触覚により識別され、太線が書ける把持位置で把持部２２を把持するように案内するので、太線が書ける把持位置で容易に把持部２２を握ることができる。従って、書き手は、ペン先２１が太線を書くことができる向きであるか否かを確認しなくても、さらに、目印６を視覚により認識しなくても、把持部２２を周方向に回転し、親指１０１に目印６を接触させることで、太線を書くことができる。
【００３３】
なお、上記実施形態３において、クリップ３２の他方の端部が目印６まで延材されており、クリップ凸部３２ａが目印６内に挿入されるようにしても良い。この場合は、クリップ凸部３２ａが目印６内に挿入されているので、把持部２２の周方向のうち、クリップ３２のある位置に目印６が存在することを書き手が視覚により認識することができる。従って、キャップ３をとらなくても、目印６の把持部２２の周方向における位置を視覚、触覚により識別することができる。また、クリップ凸部３２ａが目印６内に挿入されることで、キャップ３のペン本体２に対する回転を規制することができる。
【００３４】
なお、上記実施形態１，３における目印４，６は、キャップ挿入部２２ａに形成されていてもよい。この場合は、キャップ３に対してキャップ挿入部２２ａが挿入されると、目印４，６を視認することができなくなるので、目印４，６によりマーカーペン１Ａの意匠性を低下させることを抑制することができる。
【００３５】
なお、上記実施形態１〜３において目印４〜６は、親指１０１以外の指１０２，１０３が接触する把持位置や、複数の指１０１，１０２，１０３，１０４が接触する把持位置にそれぞれ形成されていてもよい。
【００３６】
また、上記実施形態１〜３に係るマーカーペン１Ａ〜１Ｃは、目印４〜６により太線が書ける場合について説明したが、ペン先２１の短辺２１ｃが媒体１００と接触した状態で、書き手が把持部２２を把持した場合に、把持部２２の外周のうち、親指１０１が接触する把持位置に形成されていることで、目印４〜６により細線が書けるようにしてもよい。
【００３７】
また、上記実施形態１〜３において目印４〜６は、軸方向に１つ形成する場合について説明したが、軸方向の把持位置には個人差があるので、軸方向に複数個（例えば、２〜３カ所）の目印４〜６を形成してもよい。また、１つの目印４〜６の軸方向の長さを把持部２２を軸方向において一般的な書き手が把持する領域としてもよい。
【符号の説明】
【００３８】
１Ａ〜１Ｃ  マーカーペン
２  ペン本体
２１  ペン先
２２  把持部
３  キャップ
４〜６  目印
【図１】
2015168140.tif 000003
【図２】
2015168140.tif 000004
【図３】
2015168140.tif 000005
【図４】
2015168140.tif 000006
【図５】
2015168140.tif 000007
【図６】
2015168140.tif 000008